(57)【特許請求の範囲】
【請求項１】
ドアの開放側端部に固設される錠箱に回動可能に支承された水平なサムターン軸の錠箱内における部分に、これと垂直な方向に延在し、錠箱の前面部から突出入される錠止片を動作させる作動部材を一体的に結合すると共に、この作動部材に係合片を設け、一方、錠箱内にサムターン軸の半径方向に延在し、一端がサムターン軸に臨み、他端が錠箱の側面の開口に臨む横断面コ字状の枠片を固設してその内側を内鍵差込み通路とし、他方、この枠片内に、枠片の長さ方向に延在する板状の制御片を収納してその基端を回動可能に支承し、自由端が揺動して前記係合片の移動軌跡と干渉する係合位置と、干渉しない非係合位置とを選択的に占めることができるように構成すると共に、常態では自由端が係合位置を占めるように付勢し、以てサムターン軸を回動不能にし、他方、細長い板状の内鍵を錠箱の外側から内鍵差込み通路内に差込み、制御片の自由端との衝接によりその自由端が非係合位置を占めるように変移させ、以てサムターン軸を自由にするようにしたことを特徴とする錠におけるサムターン軸の係止装置。
【発明の詳細な説明】
【０００１】
【発明の属する技術分野】
この発明は錠におけるサムターン軸の係止装置に関する。更に具体的には、ドアの錠における室内側のサムターンを管理者等の特定の人だけが操作できるようにするために、サムターン軸を内鍵（室内側で用いる鍵）の採用により回動不能な状態に選択的に係止できるようにしたサムターン軸の係止装置に関する。
【０００２】
【従来の技術】
通常のドア錠におけるサムターンは、室内側の人は誰でも回動操作することができるため、管理者がその錠を例えば施錠状態にして置きたいと意図していても第三者が過って又は故意に解錠してしまうことがある。
【０００３】
また逆に、管理者がその錠を解錠状態にして置きたいと意図していても第三者が過って又は故意に施錠してしまうこともある。
【０００４】
このような事態は、ドア錠の意図しない解錠により盗難等の問題を生じたり、劇場等における来場者の出入りの管理に支障を来たしたりすることになる。
【０００５】
【発明が解決しようとする課題】
この発明に係る錠におけるサムターン軸の係止装置は、ドア錠における室内側のサムターンを管理者等の限られた人が内鍵を用いない限り回動操作できないようにして、ドアの予期せざる開放による盗難等の問題を排すると共に、劇場等への来場者がみだりに出入りできないようにすることを目的として提案されたものである。
【０００６】
【課題を解決するための手段】
上記の目的を達成するため、この発明は、ドアの開放側端部に固設される錠箱に回動可能に支承された水平なサムターン軸の錠箱内における部分に、これと垂直な方向に延在し、錠箱の前面部から突出入される錠止片を動作させる作動部材を一体的に結合すると共に、この作動部材に係合片を設け、一方、錠箱内にサムターン軸の半径方向に延在し、一端がサムターン軸に臨み、他端が錠箱の側面の開口に臨む横断面コ字状の枠片を固設してその内側を内鍵差込み通路とし、他方、この枠片内に、枠片の長さ方向に延在する板状の制御片を収納してその基端を回動可能に支承し、自由端が揺動して前記併合片の移動軌跡と干渉する係合位置と、干渉しない非係合位置とを選択的に占めることができるように構成すると共に、常態では自由端が係合位置を占めるように付勢し、以てサムターン軸を回動不能にし、他方、細長い板状の内鍵を錠箱の外側から内鍵差込み通路内に差込み、制御片の自由端との衝接によりその自由端が非係合位置を占めるように変移させ、以てサムターン軸を自由にするようにしたことを特徴とする。
【０００７】

【発明の実施の形態】
以下、図面に示す実施例に基いてこの発明について説明する。
図１〜図４において、符号１０はドアで、そのドア１０は回転型の扉であっても引戸であってもよい。２０はそのドア１０の開放側端部が対向するドア枠又は対をなす他のドアである。
【０００８】
符号１はドア１０の開放側端部に面付け又は彫込みによりねじ９１等で固設される錠箱で、その錠箱１は例えば錠箱本体１１、その本体１１に裏から当てがわれた裏板１２及び蓋板１３から成る。
【０００９】
錠箱１のほぼ中央部にはサムターン軸２が水平にして回動可能に支承されている。サムターン軸２の室内側の外端にはつまみであるサムターン２１が図示しない止めねじ等で固定してあり、また、サムターン軸２の室外側の端部には通常はシリンダ錠３における内筒のテイルピースが係合するようにしてある。
【００１０】
シリンダ錠３は錠箱１に固定され、その外端はドア１０の貫通孔を通じ室外に露出させてある。
【００１１】
前記のシリンダ錠３はほとんどの場合、この発明に係る錠装置に対し備えられるのが普通であるが、シリンダ錠３を設けない場合は錠装置はサムターンだけで操作される内締り錠となる。
【００１２】
図示例のサムターン軸２がサムターン２１又はシリンダ錠３に差込まれる図示しない外鍵（室外側で用いる鍵）により回動されると、錠箱１内に設けられ、錠箱１の前面部から突出入される少なくも１つの錠止片４１、４２が例えばデッドカムのような作動部材５を介して動作される。
【００１３】
図示例の錠には、２つの錠止片、すなわち、錠箱１において水平方向に摺動案内されるようにしたデッドボルト４１及び錠箱１内に支柱を兼ねる枢軸４３で枢支されたカマ４２を備えている。
【００１４】
これらは、先端側が図４の矢印Ａ及び矢印Ｂで示す方向にそれぞれ変位して錠箱１の前部開口１４から突出した時、ドア枠又は他のドア２０にねじ９２等で固設されたストライク３０の係入口４０に係入し、該錠が取り付けられたドア１０を閉鎖状態に錠止する。
【００１５】
図示例のデットボルト４１は１枚の板材を折り曲げて横断面がＬ字状をなすように形成してあり、また、カマ４２は平面形が錨状をなす２枚の板材を接合して形成してある。
【００１６】
図示例の錠においてデッドボルト４１及びカマ４２を併設した理由は、この錠を取り付けるドア１０が扉であっても引戸であっても適用できるようにするためである。
【００１７】
また、錠箱１には前部開口１４に対し対称的に後部開口１５が設けてあるが、後部開口１５は前後について対称的に作られたデッドボルト４１及びカマ４２の後端側が後方へ突出できるようにするためのものである。
【００１８】
この構造によれば、ドア１０に対する錠の取付勝手（ドア１０の開き勝手）が左右で異なることになっても同一の錠で対応させることができる。
【００１９】
図１〜図４において、符号５はサムターン軸２に固定されたデッドカムで、その一端には該カムの一部をなす係合ピン５１が突設してある。
【００２０】
デッドカム５は係合ピン５１を介してデッドボルト４１のほぼ逆Ｖ字状をなす従動切欠４４に係合させてあって、サムターン軸２の回動に伴って錠箱１の前部及び後部開口１４、１５によって案内されるデッドボルト４１の先端側を前部開口１４から突出入させる。
【００２１】
換言すれば、デッドカム５は一方の錠止片であるデッドボルト４１を動作させる作動部材である。
【００２２】
更に、デッドボルト４１と他方の錠止片であるカマ４２との間はピンと長孔の組で成る連係手段５２で連係してあり、デッドボルト４１が直線的に摺動変位すると、そのデッドボルト４１の変位に伴ってカマ４２は枢軸４３を回動の中心として揺動できるようにしてある。
【００２３】
この作動においてデッドボルト４１は係合ピン５１を含むデッドカム５と同様作動部材の１つとしての働きをする。
【００２４】
上記のデッドカム５の他端側はＵ字状に折り曲げられて係合片５３が形成されており、この係合片５３は後述の制御片６に選択的に係合してサムターン軸２を必要に応じ回動不能な状態に停止（係止）させる。
【００２５】
図示例の係合片５３はデッドカム５の一部を折り曲げて形成してあるが、この係合片はサムターン軸２に対してデッドカム５とは別の専用のものとして突設することもできる。
【００２６】
前記デッドカム５の他端と錠箱１の１つの支柱１６との間には、デッドカム５を解錠位置又は施錠位置に安定して定位させるための思案ばねとしての開脚ばね５４が掛け渡してある。
【００２７】
デッドカム５が意図する位置からわずかな外力では変位しないようにするためには、デッドカム５に対して思案ばね５４に代えてクリックばね等のクリック手段（図示しない）を付設してもよい。
【００２８】
上述の係合片５３は、室内側のサムターン２１の操作によるサムターン軸２の解錠位置と施錠位置との間の回動に伴って揺動（回動）するものであるが、その係合片５３に対応させるようにして、係合位置（図１参照）と非係合位置（図３参照）との間を変位できる制御片６を更に錠箱１内に設ける。
【００２９】
実施例の制御片６は、後述の内鍵差込み通路７１を形成する横断面コ字状の枠片７に基端が枢着され、先端の自由端を係合部とした揺動タイプのものであり、その枢軸６１、６１は、制御片６の基端の両側に一体に突設してあり、コ字状の枠片７の両脚部に設けた嵌め孔に対し回動可能に嵌め込んである。
【００３０】
そして、前記制御片６は、後述の内鍵８が差込まれていない常態では（図１参照）、係合片５３と係合する係合位置を占めるように圧縮ばねその他の任意形式のばね６２又は磁石等の付勢手段をもって付勢させてあり、該制御片６の近傍の錠箱１内に設けられ、室内側における錠箱１外に開口（１７）させた内鍵差込み通路７１に内鍵８が差込まれた時は（図３参照）、その内鍵８との衝接により圧縮ばね等６２の付勢力に抗して非係合位置を占めるようにしてある。
【００３１】
なお、上述したコ字状の枠片７は、その脚部の下部に一体に突設した小突片を錠箱１における裏板１２に係合させ、その頂板部と錠箱１における蓋板１３との間に設けた支柱１６で押え付けることにより該錠箱１内に固定してある。
【００３２】
図５に明示するように、図示例の内鍵８においては、例えばそのステム部が鍵山のない単純な棒状に形成してある。また、その内鍵８のステム部と該内鍵８が差込み通路７１に差込まれた時ステム部が衝接する制御片６との間には、小孔又は窪みと小突起の組で成るクリック手段８１が備えられている。
【００３３】
このクリック手段８１によれば、差込まれた内鍵８から手指を離しても、内鍵８はそのままの状態を確実に保持できるところとする。なお、内鍵８は、図示例の形に限らず、任意に設計できることは言うまでもない。
【００３４】
内鍵８はサムターン２１を回動操作する時は内鍵差込み通路７１に差込んで用い、サムターン２１を解錠位置又は施錠位置において回動不能状態とする時は該内鍵８は抜き出して他の場所に保管するものである。
【００３５】
図示例の制御片６は上述したように揺動タイプのものとして示してあるが、この制御片は錠箱１内の適当な案内手段により直線的に往復摺動される直線的移動タイプのものとすることもできる。
【００３６】
なお、図１で符号２２はサムターン軸２の止め環を、また、符号４５は枢軸４３に嵌め込まれたスペーサをそれぞれ示す。
【００３７】
次に、この発明のサムターン軸の係止装置の作用について説明する。この発明の装置を実施した錠においては、内鍵８を錠箱１内の内鍵差込み通路７１に差込んでいない常態では（図１参照）、サムターン軸２に設けた係合片５３が圧縮ばねその他の付勢手段（６２）の付勢力で係合位置を占めるようにされた制御片６によって施錠位置又は解錠位置に係止拘束されるので、サムターン２１によるサムターン軸２の回動操作が不能になる。
【００３８】
従って、このような常態では、錠止片４１、４２は管理者等の特定の人が元来意図している施錠位置又は解錠位置から変位させることができないので、ドア１０は過って又は故意に開放させたり閉鎖させたりすることができない。
【００３９】
また、管理者等がサムターン２１の回動操作により、錠止片４１、４２を突出変位又は没入変位させる時は、内鍵８を錠箱１の鍵孔である開口１７を通じ内鍵差込み通路７１に差込めば（図３参照）、係合片５３の制御片６による係止拘束が解除されるので、サムターン２１によるサムターン軸２の回動操作は自由に行えることになる。
【００４０】
なお、図示の錠装置においては、外鍵（図示しない）によりシリンダ錠３を通じて錠止片４１、４２を突出又は没入させて施解錠する時も、内鍵８は内鍵差込み通路７１に差込んだ状態にして置かないと、シリンダ錠３によるサムターン軸２の回動操作は前記と同様の理由により不能であるから、外鍵だけを用いて専らシリンダ錠３のみで施解錠する場合は、内鍵８は差込んだままにして置かなくてはならない。
【００４１】
【発明の効果】
以上に説明したこの発明の錠におけるサムターン軸の係止装置によれば、サムターンの操作を内鍵の抜き差しにより管理者等の特定の人のみが行えるようにしたので、第三者が過って又は故意にドア錠を解錠したり施錠したりすることができず、盗難等の問題を排すると共に、劇場等への来場者が不正に出入りすることを防止するという効果を奏する。
【図面の簡単な説明】
【図１】この発明を実施した錠の一例を内鍵を差込んでいない状態で示す縦断正面図。
【図２】図１のＩＩ−ＩＩ線による縦断側面図。
【図３】  図１の錠に内鍵を差込んだ状態で示す同錠の縦断正面図。
【図４】図３のＩＶ−ＩＶ線による縦断側面図。
【図５】図１に示す錠に対して用いられる鍵の一例を表わす図で、（Ａ）は平面図、（Ｂ）は側面図である。
【符号の説明】
１０  ドア
１  錠箱
２  サムターン軸
２１  サムターン
４１  錠止片
４２  錠止片
５  作動部材（デッドカム）
５３  係合片
６  制御片
７１  内鍵差込み通路
８  内鍵
【図１】
0003963992.tif 000002
【図２】
0003963992.tif 000003
【図３】
0003963992.tif 000004
【図４】
0003963992.tif 000005
【図５】
0003963992.tif 000006